(57)【要約】      （修正有）【課題】竿石に戒名などを彫りこめる墓石を提供する。【解決手段】竿石の側面及び裏面に石板を取り付け、周囲をコーキングなどで接着すること、竿石の側面及び裏面に形状挿入穴を穿設しその穴に凹型に加工した石材あるいは金属材を突設し、凹型に加工した石材あるいは金属材に石板を挿着し、周囲をコーキングなどで接着すること、又は、竿石の側面及び裏面に形状挿入穴を穿設しその穴にナットを埋設し、石板にボルト穴を貫設させ、竿石に石板を取り付けボルトで締着することを特徴とする。【選択図】図１
0003151225.tif 000002
【実用新案登録請求の範囲】
【請求項１】
墓石竿石の側面及び裏面に石板を取り付け、周囲を接着した石板のついた墓石。
【請求項２】
（イ）墓石竿石の側面及び裏面に一か所以上、形状挿入穴を穿設する。
（ロ）その穴に凹形に加工した石材あるいは金属材を突設する。
（ハ）凹形に加工した石材あるいは金属材の間に石板を挿入する。
（ニ）石板の周囲を接着する。
以上のごとく構成された石板のついた墓石。
【請求項３】
（イ）墓石竿石の側面及び裏面に一か所以上、形状挿入穴を穿設する。
（ロ）その穴にネットを埋設する。
（ハ）石板に一ヶ所以上ボルト穴を貫設する。
（ニ）竿石に石板を取り付け、ボルトで締着する。
以上のごとく構成された石板のついた墓石。
【考案の詳細な説明】
【技術分野】
【０００１】  この考案は墓石竿石に、戒名などを彫りこんだあるいは彫りこむ石板を取り付けたことを特徴とする、石板を取り付けた墓石に関するものである。
【背景技術】
【０００２】  墓石は竿石正面に故人の戒名（個人、夫婦）を、側面または裏面に死亡年月日、死亡年齢、名前、続柄あるいは建立年月日、建立者などを彫りこむ個人墓、夫婦墓であったが、時代とともに予算、敷地、管理等などの制約により直系家族が納骨される家族墓に変わっていった。家族に死亡者ができ、竿石に戒名などを彫りこむのが一般的であるが、現地での彫りこみには機械の取り付け場所、機械の騒音、粉塵などの問題があり、取り外しての彫りこみに関しても重量が重く機械、人工数を必要とし、多大の経費がかかった。そのため墓石本体とは別に、墓誌という名前の戒名などを彫りこむための台石のついた厚めの石板を取り付けるようになり、現在に至っている。この墓誌も取り付け取り外しを前提とするため台石との強力接着もできず、接着不足のときは転倒破損、強力なときは石材の破損などの問題があった。またこの墓誌も竿石に比べれば重量が軽いものの機械、人工数を必要としている。これは施行業者にとって問題であった。また都市部においては敷地の問題があり、墓誌の取りつけるスペースも無くなりつつある。
【先行技術文献】
【特許文献】
【０００３】
【特許文献１】実用登録  第３０２３９０４号公報
【特許文献２】実用登録  第３１２６６３７号公報
【特許文献３】特開      ２０００−３２０１８９号公報
【特許文献４】特開      ２００３−２１３９６８号公報
【特許文献５】特開      平８−６８２３９号公報
【考案の概要】
【考案が解決しようとする課題】
【０００４】  したがって各業者とも墓誌の重量、追加戒名彫の時の取り外しによる石材の破損、取り付けた後の転倒破損などの不安を抱えながら工事を施行している。都市部においては敷地が小さく、墓誌をつけるスペースも無くなっている。また利便性のため墓誌に戒名を彫りこんでいるものの、お参りの対象である墓石本体、特に竿石に戒名を彫りこむことが本来の姿ではないかと考える。本考案はこれらの問題を解決するためのものである。
上記特許文献の違いについて説明すると実用登録第３０２３９０４号公報、実用登録第３１２６６３７号公報、特開２０００−３２０１８９号公報、特開２００３−２１３９６８号公報などに記載されている肖像、風景、模様、文字などが刻まれたプレート、板材、チタン板を墓石、墓誌に貼りつける、嵌合するなどの考案であるが、目的が意匠性、装飾性であり、貼り付けた部材が剥離、変色、褪色など品質劣化防止の材質であるのに対し、当考案は墓誌の機能を石板に彫り込み、石板を竿石に取り付けることにより墓石と墓誌の一体化ができ、墓誌が不要になった分、敷地に余裕ができ小面積でも墓石建立が可能であり、追加戒名彫の時、石板の取り付け取り外しが簡単にできるよう考案されている。特開平０８−０６８２３９の考案では霊標を墓石の台部、基部に取り付ける構成になっているが、当考案はお参りの対象である墓石本体、特に竿石に石板を取りつけている。また複雑な形状の霊標に対して石板であり、加工も簡単にできる。複雑な形状の霊標は重量も重いものと思われる。
【課題を解決しょうとための手段】
【０００５】▲１▼竿石の側面及び裏面に石板を取り付け、周囲をコーキングなどで接着する。
▲２▼竿石の側面及び裏面に形状挿入穴を穿設しその穴に凹型に加工した石材あるいは金属材を突設する。凹型に加工した石材あるいは金属材に石板を挿着し、周囲をコーキングなどで接着する。
▲３▼竿石の側面及び裏面に形状挿入穴を穿設しその穴にネットを埋設する。石板にボルト穴を貫設する。竿石に石板を取り付けボルトで締着する。以上を特徴とする石板のついた墓石である。
【考案の効果】
【０００６】竿石の側面及び裏面に石板を取り付け、周囲をコーキングなどで接着する。
竿石の側面及び裏面に形状挿入穴を穿設し、その穴に凹型に加工した石材あるいは金属材を突設し、凹型に加工した石材あるいは金属材に石板を挿着し周囲をコーキングなどで接着する。竿石の側面及び裏面に形状挿入穴を穿設しその穴にネットを埋設する。石板にボルト穴を貫設する。竿石に石板を取り付けボルトで締着する。
これら各種方法により墓誌の重量、取り外しによる石材の破損の軽減、取り付け後の安全性、都市部においては敷地の確保、竿石と石板の一体化により、お参り対象の問題など解決できた。
【図面の簡単な説明】
【０００７】
【図１】竿石に石板を取り付けたところの分解斜視図
【図２】竿石に石板を取り付けたところの斜視図
【図３】竿石に突設する石材あるいは金属材に石板を挿着したところの分解斜視図
【図４】竿石に突設する石材あるいは金属材に石板を挿着したところの斜視図
【図５】竿石にボルトで石板を締着したところの分解斜視図
【図６】竿石にボルトで石板を締着したところの斜視図
【考案を実施するための形態】
【０００８】▲１▼（イ）石板（４）の裏面に一箇所以上両面テープ（３）を貼り付ける。
（ロ）石板（４）を竿石（２）の側面及び裏面に貼着する。
（ハ）石板（４）の周囲をコーキング（５）などで竿石（２）に接着する。
（ニ）取り外す時にはコーキング（５）などをカッターで切り取り、バールなどを竿石（２）と石板（４）の間に差し込み石板（４）をはがしとる。
▲２▼（イ）竿石（６）の側面及び裏面に一か所以上、形状挿入穴（７）を穿設する。
（ロ）形状挿入穴（７）に凹型に加工した石材あるいは金属材（８）を突設する。
（ハ）凹型に加工した石材あるいは金属材（８）の間に石板（４）を挿入する。
（ニ）石板（４）の周囲をコーキング（５）などで竿石（６）に接着する。
（ホ））取り外す時にはコーキング（５）などをカッターで切り取り、石板（４）をスライドさせて取り外す。
▲３▼（イ））竿石（９）の側面及び裏面に一か所以上、形状挿入穴（１０）を穿設する。
（ロ）形状挿入穴（１０）にネット（１１）を埋設する。
（ハ）石板（１３）に一か所以上ボルト穴（１２）を貫設する。
（ニ）竿石（９）に石板（１３）を取り付け、ボルト（１４）で締着する
（ホ）取り外す時にはボルト（１４）をゆるめ、石板（１３）を取り外す
【実施例】
【０００９】
【産業上の利用可能性】
【００１０】
【符号の説明】
【００１１】  １    上台
２    竿石
３    両面テープ
４    石板
５    コーキン
６    竿石
７    形状挿入穴
８    石材あるいは金属材
９    竿石
１０    形状挿入穴
１１    ネット
１２    ボルト穴
１３    石板
１４    ボルト
【図１】
0003151225.tif 000003
【図２】
0003151225.tif 000004
【図３】
0003151225.tif 000005
【図４】
0003151225.tif 000006
【図５】
0003151225.tif 000007
【図６】
0003151225.tif 000008
【手続補正書】
【提出日】平成21年3月16日(2009.3.16)
【手続補正１】
【補正対象書類名】実用新案登録請求の範囲
【補正対象項目名】全文
【補正方法】変更
【補正の内容】
【実用新案登録請求の範囲】
【請求項１】
墓石竿石の側面及び裏面に石板を取り付け、周囲を接着した石板のついた墓石。
【請求項２】
（イ）墓石竿石の側面及び裏面に一か所以上、形状挿入穴を穿設する。
（ロ）その穴に凹型に加工した石材あるいは金属材を突設する。
（ハ）凹型に加工した石材あるいは金属材の間に石板を挿入する。
（ニ）石板の周囲を接着する。
以上のごとく構成された石板のついた墓石。
【請求項３】
（イ）墓石竿石の側面及び裏面に一か所以上、形状挿入穴を穿設する。
（ロ）その穴にナットを埋設する。
（ハ）石板に一か所以上ボルト穴を貫設する。
（ニ）竿石に石板を取り付け、ボルトで締着する。
以上のごとく構成された石板のついた墓石。
【手続補正２】
【補正対象書類名】明細書
【補正対象項目名】０００８
【補正方法】変更
【補正の内容】
【０００８】▲１▼（イ）石板（４）の裏面に一箇所以上両面テープ（３）を貼り付ける。
（ロ）石板（４）を竿石（２）の側面及び裏面に貼着する。
（ハ）石板（４）の周囲をコーキング（５）などで竿石（２）に接着する。
（ニ）取り外す時にはコーキング（５）などをカッターで切り取り、バールなどを竿石（２）と石板（４）の間に差し込み石板（４）をはがしとる。
▲２▼（イ）竿石（６）の側面及び裏面に一か所以上、形状挿入穴（７）を穿設する。
（ロ）形状挿入穴（７）に凹型に加工した石材あるいは金属材（８）を突設する。
（ハ）凹型に加工した石材あるいは金属材（８）の間に石板（４）を挿入する。
（ニ）石板（４）の周囲をコーキング（５）などで竿石（６）に接着する。
（ホ））取り外す時にはコーキング（５）などをカッターで切り取り、石板（４）をスライドさせて取り外す。
▲３▼（イ））竿石（９）の側面及び裏面に一か所以上、形状挿入穴（１０）を穿設する。
（ロ）形状挿入穴（１０）にナット（１１）を埋設する。
（ハ）石板（１３）に一か所以上ボルト穴（１２）を貫設する。
（ニ）竿石（９）に石板（１３）を取り付け、ボルト（１４）で締着する
（ホ）取り外す時にはボルト（１４）をゆるめ、石板（１３）を取り外す
【手続補正３】
【補正対象書類名】明細書
【補正対象項目名】００１１
【補正方法】変更
【補正の内容】
【００１１】  １    上台
２    竿石
３    両面テープ
４    石板
５    コーキン
６    竿石
７    形状挿入穴
８    石材あるいは金属材
９    竿石
１０    形状挿入穴
１１    ナット
１２    ボルト穴
１３    石板
１４    ボルト
【手続補正４】
【補正対象書類名】図面
【補正対象項目名】図５
【補正方法】変更
【補正の内容】
【図５】
0003151225.tif 000009